(57)【要約】【課題】入力機能のみならず出力機能も有するキーパッド及びこれを有する電子機器を提供する。【解決手段】複数の表示領域１３２が非表示領域１３１を境界にしてマトリクス状に配列された電気泳動表示パネル１３０と、電気泳動表示パネル１３０上に位置し表示領域１３２に対応する開口１４２が形成され、開口１４２の外周縁の非表示領域に対応してキー１４３が形成された回路基板１４０と、回路基板１４０上で開口に対応して透明窓部１５２が形成され、透明窓部の外周縁に、キーに対応した加圧部１５３が形成されたパッド１５０からなる多機能キーパッド用表示装置。【選択図】図１ｂ
2008270216.tif 000002
【特許請求の範囲】
【請求項１】
複数の表示領域が非表示領域を境界にしてマトリクス状に配列された電気泳動表示パネルと、
前記電気泳動表示パネル上に位置し、前記表示領域に対応する領域に開口が形成され、前記開口の外周縁の前記非表示領域に対応する領域にキーが形成された回路基板と、
前記回路基板上に位置し、前記開口に対応する領域に透明窓部が形成され、前記透明窓部の外周縁の前記キーに対応する領域に加圧部が形成されているパッドとを含んでなることを特徴とする多機能キーパッド用表示装置。
【請求項２】
前記電気泳動表示パネルは、前記表示領域のみ画素が形成されることを特徴とする請求項１に記載の多機能キーパッド用表示装置。
【請求項３】
前記電気泳動表示パネルは、前記表示領域にデータ信号を印加するように電気的に連結されたデータドライバーと、前記表示領域に走査信号を印加するように電気的に連結された走査ドライバーとを含んでなることを特徴とする請求項１に記載の多機能キーパッド用表示装置。
【請求項４】
前記電気泳動表示パネルのうち前記表示領域には、荷電粒子が分布された流体を中心に第１電極及び第２電極が交差して形成され、前記電気泳動表示パネルのうち前記非表示領域には荷電粒子及び流体なしに第１電極及び第２電極だけが交差して形成されることを特徴とする請求項１に記載の多機能キーパッド用表示装置。
【請求項５】
前記表示領域には、前記画素が区分できるように複数の第１隔壁が形成され、前記非表示領域には前記第１隔壁の幅より大きい幅の第２隔壁が形成された同時に、前記第２隔壁に対応する領域に前記回路基板の前記キーが位置されることを特徴とする請求項４に記載の多機能キーパッド用表示装置。
【請求項６】
前記第１隔壁及び前記第２隔壁の上部には、透明な基板が位置され、前記第２隔壁に対応する前記透明な基板の上部に前記回路基板の前記キーが位置されることを特徴とする請求項５に記載の多機能キーパッド用表示装置。
【請求項７】
前記電気泳動表示パネルのうち前記表示領域には、複数の第１電極が形成され、前記第１電極の上には絶縁層が形成され、前記絶縁層上には前記第１電極と交差する方向に複数の第２電極が形成され、前記複数の第２電極の間にはカラーフィルターが形成され、前記第２電極及びカラーフィルターの上に荷電粒子が分布された流体が配置されていることを特徴とする請求項１に記載の多機能キーパッド用表示装置。
【請求項８】
前記カラーフィルターは、赤色、緑色及び青色のうち少なくともいずれか１つの色に形成されることを特徴とする請求項７に記載の多機能キーパッド用表示装置。
【請求項９】
前記表示領域には、カラーフィルターの間に第１隔壁が形成され、前記非表示領域には前記第１隔壁の幅より大きい幅の第２隔壁が形成されると同時に、前記第２隔壁に対応する領域に前記回路基板の前記キーが位置されることを特徴とする請求項７に記載の多機能キーパッド用表示装置。
【請求項１０】
前記第１隔壁及び前記第２隔壁の上部には、透明な基板が位置され、前記第２隔壁に対応する前記透明な基板の上部に前記回路基板の前記キーが位置されることを特徴とする請求項９に記載の多機能キーパッド用表示装置。
【請求項１１】
前記電気泳動表示パネルのうち前記表示領域には、荷電粒子が分布された流体を中心に第１電極及び第２電極が備えられ、前記第１電極にはトランジスタが連結され、前記電気泳動表示パネルのうち前記非表示領域には荷電粒子、流体及びトランジスタなしに第１電極及び第２電極のみが備えられることを特徴とする請求項１に記載の多機能キーパッド用表示装置。
【請求項１２】
前記表示領域には、前記第１電極を中心に両側に前記第１隔壁が形成され、前記非表示領域には前記第１隔壁の幅より大きい幅の第２隔壁が形成された同時に、前記第２隔壁に対応する領域に前記回路基板の前記キーが位置されることを特徴とする請求項１１に記載の多機能キーパッド用表示装置。
【請求項１３】
前記第１隔壁及び前記第２隔壁の上部には、透明な基板が位置され、前記第２隔壁に対応する前記透明な基板の上部に前記回路基板の前記キーが位置されることを特徴とする請求項１２に記載の多機能キーパッド用表示装置。
【請求項１４】
前記荷電粒子は、赤色、青色、緑色、黒色及び白色のうち少なくともいずれか１つの色を有して形成されることを特徴とする請求項４に記載の多機能キーパッド用表示装置。
【請求項１５】
前記荷電粒子は、第１電極と第２電極との間に形成される電界の方向に運動することを特徴とする請求項４に記載の多機能キーパッド用表示装置。
【請求項１６】
前記荷電粒子は、コアと、前記コアの表面に形成された着色層からなることを特徴とする請求項４に記載の多機能キーパッド用表示装置。
【請求項１７】
前記コアは、二酸化チタン及びシリカのうち少なくともいずれか１つであることを特徴とする請求項１６に記載の多機能キーパッド用装置。
【請求項１８】
前記流体は、有機溶媒であることを特徴とする請求項４に記載の多機能キーパッド用装置。
【請求項１９】
前記泳動表示パネルは、一側にバックライトがさらに設けられていることを特徴とする請求項１に記載の多機能キーパッド用表示装置。
【請求項２０】
前記回路基板に形成された前記キーは、ドームスイッチであることを特徴とする請求項１に記載の多機能キーパッド用表示装置。
【請求項２１】
前記キーは、前記電気泳動表示パネルの非表示領域に対応する領域に形成された導電パターンと、前記導電パターンに接触及び分離が可能な弾性部材からなることを特徴とする請求項１に記載の多機能キーパッド用表示装置。
【請求項２２】
前記パッドは、絶縁層と、前記絶縁層上に形成された金属層と、前記金属層上に前記キーに対応する領域に形成された加圧部からなることを特徴とする請求項１に記載の多機能キーパッド用表示装置。
【請求項２３】
前記加圧部は、上部に突出して形成されることを特徴とする請求項２２に記載の多機能キーパッド用表示装置。
【請求項２４】
請求項１〜２３のいずれか一つに記載の多機能キーパッド用表示装置を含んでなることを特徴とする電子機器。
【請求項２５】
前記キーパッド用表示装置は、メイン表示パネルのほかに備えられていることを特徴とする請求項２４に記載の電子機器。
【発明の詳細な説明】
【技術分野】
【０００１】
本発明は、多機能キーパッド用表示装置に関し、より詳しくは、入力機能のみならず出力機能もある多機能キーパッド用表示装置及びこれを有する電子機器に関する。
【背景技術】
【０００２】
一般的に、電子機器（例えば、移動通信端末機）は、各種命令の容易なる入力のためにキーパッド装置を含む。一例として、上記キーパッド装置は各キーごとに文字、数字または特殊記号などがあらかじめ割り当てされており、使用者は上記キーパッドを操作することで、電話発信、電話受信、文字入力及び文字送信のような各種入力動作が上記電子機器で適切に行われるようにする。
【０００３】
しかし、このような従来のキーパッド装置は、各キーごとに固有の文字、数字または特殊記号などが既に固定されて割り当てされているため、最近の様々且つ複雑な機能を遂行する電子機器には適合してないという短所がある。
【０００４】
例えば、各キーごとに所定文字が既に固定されて割り当てされているので、移動通信端末機の多言語化において文字入力の困難且つ不可能な短所がある。
【０００５】
また、移動通信端末機でＭＰ３機能やカメラ機能などを利用しようとする場合、キーの数よりも機能数が多くなる場合に複数回のキー操作が行われることが必要で、ＭＰ３機能やカメラ機能を使用することにおいて不便な問題がある。すなわち、ユーザーインターフェースとして、一つの操作を実行するために複数の入力操作によってインターフェース画面を送って行くなどの画面階層がどうしても深くなってしまうことからキー操作が不便且つ困難となっている。
【０００６】
一方、このような問題を解決するためにキーパッド装置として、タッチスクリーンを採択する技術が研究されている。しかし、このようなタッチスクリーンは、使用者によるタッチやキークリック時に加圧感がほとんどないため、命令を正確に入力したかどうかわからなくなり、同一命令が何回も入力されるなどの短所がある。尚、このようなタッチスクリーンでキーパッド装置を製造する場合、タッチスクリーン全体に形成された画素に電源が供給されることで、消費電力が高いのみならず製造単価も高くなる短所がある。
【発明の開示】
【発明が解決しようとする課題】
【０００７】
本発明は、従来の問題点を解決するためになされたものであって、その目的は、
入力機能のみならず様々な情報の出力機能もある多機能キーパッド用表示装置及びこれを有する電子機器を提供することにある。
【０００８】
本発明の他の目的は、文字、数字、特殊記号、静止画または動画などを使用者の選択によって様々に変更して表示することで、ユーザーインターフェースの画面階層が浅くキー操作の回数が少なくて済み、便利な多機能キーパッド用表示装置及びこれを有する電子機器を提供することにある。
【０００９】
本発明の他の目的は、低消費電力のみならず低製造費用の多機能キーパッド用表示装置及びこれを有する電子機器を提供することにある。
【課題を解決するための手段】
【００１０】
上述の目的を達成するために本発明による多機能キーパッド用表示装置は、複数の表示領域が非表示領域を境界にしてマトリクス状に配列された電気泳動表示パネルと、上記電気泳動表示パネル上に位置され、上記表示領域に対応する領域に開口が形成され、上記開口の外周縁の上記非表示領域に対応する領域にキー（ｋｅｙ）が形成された回路基板と、上記回路基板上に位置され、上記開口に対応する領域に透明窓部が形成され、上記透明窓部の外周縁の上記キーに対応する領域に加圧部が形成されたパッドとを含むことができる。
【００１１】
また、本発明による多機能キーパッド用表示装置を有する電子機器は、複数の表示領域が非表示領域を境界にしてマトリクス状に配列された電気泳動表示パネルと、上記電気泳動表示パネル上に位置され、上記表示領域に対応する領域に開口が形成され、上記開口の外周縁の上記非表示領域に対応する領域にキー（ｋｅｙ）が形成された回路基板と、上記回路基板上に位置され、上記開口に対応する領域に透明窓部が形成され、上記透明窓部の外周縁の上記キーに対応する領域に加圧部が形成されたパッドからなる多機能キーパッド用表示装置と、上記多機能キーパッド用表示装置に電気的及び機械的に結合されたメイン表示パネルとを含む。
【発明の効果】
【００１２】
上記のように本発明による多機能キーパッド用表示装置及びこれを有する電子機器は、キーパッドを介して各種命令の入力のみならず様々な情報の出力も可能である。
【００１３】
また、上記のように本発明による多機能キーパッド用表示装置及びこれを有する電子機器は、文字、数字、特殊記号、静止画または動画などを使用者の選択によって様々に変更して表示することで、ユーザーインターフェースの画面階層を浅くすることができて、キー操作を容易に行うことができる。
【００１４】
また、本発明による多機能キーパッド用表示装置及びこれを有する電子機器は、電気泳動表示パネルが双安定（ｂｉｓｔａｂｌｅ）する特性を有するため、持続的な電圧印加なしに画像を維持することができることから消費電力を極小化させることができる。
【００１５】
また、本発明による多機能キーパッド用表示装置及びこれを有する電子機器は、電気泳動表示パネルの一側にバックライトをさらに備えることもできることで、外光のない夜にも容易に各種画像を見ることができる。
【発明を実施するための最良の形態】
【００１６】
以下、本発明が属する技術分野で通常の知識を持った者が本発明を実施することができるほどに本発明の望ましい実施形態を添付された図面を参照して詳細に説明すれば次のとおりである。
【００１７】
図１ａには、本発明の一実施形態による多機能キーパッド用表示装置の斜視図が示されており、図１ｂにはその分解斜視図が示されている。
【００１８】
図１ａ及び図１ｂに示すように、本実施形態による多機能キーパッド用表示装置１００は、ケース１１０と、上記ケース１１０に搭載されるメイン回路基板１２０と、上記メイン回路基板１２０の上部に搭載される電気泳動表示パネル１３０と、上記電気泳動表示パネル１３０の上部に搭載される回路基板１４０と、上記回路基板１４０の上部に搭載されるパッド１５０と、上記パッド１５０の上部に搭載されるカバー１６０とを含む。
【００１９】
上記ケース１１０は、底面１１１と、上記底面１１１の端側部に一定高さに形成された複数の側壁１１２とを含む。このようなケース１１０は、プラスチック樹脂、金属及びその等価物の中から選択されたいずれか１つにより形成できるが、ここでその材質が限定されるものではない。また、上記ケース１１０には、上記メイン回路基板１２０、上記電気泳動表示パネル１３０、上記回路基板１４０、上記パッド１５０及び上記カバー１６０が順次に搭載される。勿論、このようなケース１１０には、上記メイン回路基板１２０、上記電気泳動表示パネル１３０及び上記回路基板１４０などに電力供給のためのバッテリーがさらに装着できるが、このようなバッテリーは示されていない。
【００２０】
上記メイン回路基板１２０は、ほぼ四角板状の基板胴体１２１と、上記基板胴体１２１に設けられた複数の能動素子１２２、複数の受動素子１２３、第１軟性印刷回路１２４、コネクター１２５とを含む。このようなメイン回路基板１２０は、上記電気泳動表示パネル１３０、上記回路基板１４０または後述する電子機器のメイン電気泳動表示パネルに電気信号を供給するかまたは供給される役割を有する。ここで、上記第１軟性印刷回路１２４は、上記回路基板１４０と電気的に接続され、また上記コネクター１２５には後述する電気泳動表示パネル１３０に接続される第２軟性印刷回路１３３が電気的に接続される。
【００２１】
上記電気泳動表示パネル１３０は、非表示領域１３１を境界にして複数の表示領域１３２がほぼマトリクス状に配列されてなる。勿論、上記電気泳動表示パネル１３０の一側には、上記メイン回路基板１２０のコネクター１２５に電気的に連結される第２軟性印刷回路１３３が電気的に連結される。また、上記電気泳動表示パネル１３０は、外部衝撃から損傷されないように樹脂または金属からなるベゼル１３４に下面及び側面が包み込まれる。
【００２２】
ここで、上記電気泳動表示パネル１３０に形成された表示領域１３２は、図面には、１２個示されているが、このような個数で本発明が限定されるものではない。すなわち、上記表示領域１３２は、電気泳動表示パネル１３０でより多く、またはより少ない個数に形成できる。さらに、上記電気泳動表示パネル１３０に形成された表示領域１３２は、図面にたとえ四角状に示されているが、このような形態で本発明が限定されるものではない。すなわち、上記表示領域１３２は、円形、三角形、五角形、六角形など様々な形態が可能である。
【００２３】
このような表示領域１３２は、使用者の選択によって文字、数字、特殊記号、静止画または動画を自由に変化させて出力することで、ユーザーインターフェースとして、目的とする支持操作を行うための画面階層を浅くして、キー操作を少なくなくすることができる。そしてそれによって操作が楽に便利になる。また、上記表示領域１３２の外側に形成された非表示領域１３１には、いずれの映像も出力されないので、消費電力が最小化される。すなわち、上記電気泳動表示パネル１３０のうち表示領域１３２には、所定色（赤色、緑色、青色、黒色または白色）の光を出力するように画素が形成され、上記非表示領域１３１には光を出力しないように画素が形成されないこともある。よって、上記電気泳動表示パネル１３０のうち実質的に上記画素が形成された表示領域１３２のみ電力が消費され、上記画素が形成されない非表示領域１３１では電力がほとんど消費されない。このような電気泳動表示パネル１３０については、以下でより詳しく説明する。
【００２４】
上記回路基板１４０は、上記電気泳動表示パネル１３０のうち上記表示領域１３２に対応する領域に開口１４２が形成された基板胴体１４１と、上記開口１４２の外周縁の一側で、上記非表示領域１３１に対応する領域に形成されたキー１４３とを含む。ここで、上記開口１４２は、透明樹脂、透明ガラス及びその等価物の中から選択されたいずれか１つによって閉塞されることもできる。よって、上記電気泳動表示パネル１３０の表示領域１３２は、外部環境からより積極的に隔離される。また、上記回路基板１４０には、上記電気泳動表示パネル１３０の表示領域１３２に対応しない領域にも複数のキー１４４が形成される。すなわち、上記開口１４２に対応しない領域にも複数のキー１４４が形成される。このような回路基板１４０は、上記第１軟性印刷回路１２４によって上記メイン回路基板１２０に電気的に連結される。よって、上記回路基板１４０に備えられたキー１４３、１４４の操作信号は上記第１軟性印刷回路１４０を介して上記メイン回路基板１２０に適切に伝達することができる。上記キー１４３の構造は以下でより詳しく説明する。
【００２５】
上記パッド１５０は、上記開口１４２に対応する領域（すなわち、上記表示領域１３２に対応する領域）に透明窓部１５２が形成されたパッド胴体１５１と、上記透明窓部１５２の外周縁の一側で、上記キー１４３に対応する領域に形成された加圧部１５３とを含む。ここで、上記パッド１５０には、上記電気泳動表示パネル１３０の表示領域１３２または回路基板１４０の開口１４２に対応しない領域にも複数の加圧部１５４がさらに形成される。すなわち、上記回路基板１４０のキー１４４に対応する領域に複数の加圧部１５４が形成され、このような加圧部１５４の表面には陽刻、陰刻または印刷などの方法で所定文字、数字、特殊記号などがあらかじめ形成される。また、上記透明窓部１５２は、透明樹脂、透明ガラス及びその等価物の中から選択されたいずれか１つによって閉塞されることもできる。このような構造のパッド１５０は、使用者が上記加圧部１５３、１５４を押せば、上記キー１４３、１４４が操作され、上記キー１４３、１４４の操作信号は第１軟性印刷回路１２４を介してメイン回路基板１２０に伝達される。上記加圧部１５３及びパッド１５０の断面構造は、以下でより詳しく説明する。
【００２６】
上記カバー１６０は、上記パッド１５０の開口１４２及び加圧部１５３に対応する領域に窓部１６２が形成されたカバー胴体１６１とを含む。よって、上記カバー１６０の窓部１６２を介して上記電気泳動表示パネル１３０の表示領域１３２が外部に見えるようになり、使用者は上記カバー１６０の窓部１６２を介して露出された加圧部１５３を操作することで、所定命令を入力することができるようになる。勿論、上記カバー１６０には陰刻、陽刻または印刷などの方法であらかじめ所定文字などが形成されたパッド１５０の加圧部１５４が露出されるようにする長形窓部１６３が形成される。尚、上記窓部１６２、１６３も透明樹脂、ガラス及びその等価物の中から選択されたいずれか１つによって閉塞される。
【００２７】
図２には、本発明による多機能キーパッド用表示装置のうちメイン回路基板の上部に電気泳動表示パネルが搭載された状態が平面図として示されている。
【００２８】
図２に示すように、メイン回路基板１２０の上部には、電気泳動表示パネル１３０が搭載される。勿論、上記電気泳動表示パネル１３０は、第２軟性印刷回路１３３を介して上記メイン回路基板１２０に電気的に接続される。また、上記メイン回路基板１２０には、第１軟性印刷回路１２４を介して回路基板１４０が電気的に連結される。勿論、上記電気泳動表示パネル１３０に形成された表示領域１３２と、上記回路基板１４０に形成された開口１４２はお互いに対応する位置に形成される。
【００２９】
図３には、本実施形態による多機能キーパッド用表示装置のうちメイン回路基板に電気泳動表示パネル及び回路基板が順次に搭載された状態が平面図として示されている。
【００３０】
図３に示すように、メイン回路基板１２０の上部の上には、電気泳動表示パネル１３０及び回路基板１４０が順次に搭載される。勿論、上記回路基板１４０は、第１軟性印刷回路１２４を介して上記メイン回路基板１２０に電気的に接続される。尚、上記回路基板１４０に形成された開口１４２を介して電気泳動表示パネル１３０の表示領域１３２が外部に露出される。よって、使用者は、上記回路基板１４０に形成された開口１４２を介して上記表示領域１３２に表示される各種文字、数字、特殊文字、静止画及び動画などを見ながらキー操作ができる。勿論、上記回路基板１４０は、上記開口１４２の外周縁で、非表示領域１３１に対応する領域にキー１４３が形成される。
【００３１】
図４ａには、図１の４ａ−４ａ線の断面図が示され、図４ｂには荷電粒子の一例が断面図として示されている。
【００３２】
上記図４ａに示された多機能キーパッド用表示装置１００は、実際の大きさ、厚さ及び長さなどに正確に比例せず、本発明の理解のために誇張または単純化されている。一例として、図４ａに示された電気泳動表示パネル１３００には、３つの第１電極１３０２、３つの流体１３０３ｄ及び１つの第２電極１３０４などが示されているが、実際ではこれより非常に多い個数または少ない個数に形成される。また、図４ａに示されたキー１４３は、長さがほぼ第１電極１３０２の長さと類似に示されているが、実際ではこれより非常に大きく、または小さいことがある。
【００３３】
図４ａに示された電気泳動表示パネル１３００は、第１基板１３０１と、上記第１基板１３０１の上部に形成された第１電極１３０２と、上記第１電極１３０２の上部に形成された荷電粒子１３０３ａが分散された流体１３０３ｄと、上記荷電粒子１３０３ａが分散された流体１３０３ｄの上部に形成された第２電極１３０４と、上記第１電極１３０２と第１電極１３０２との間に形成された第１隔壁１３０６と、上記第１電極１３０２の外周縁に形成されると同時に、上記第１隔壁１３０６の幅より大きい幅を有する第２隔壁１３０７とを含む。
【００３４】
ここで、上記第１電極１３０２、上記荷電粒子１３０３ａが分散された流体１３０３ｄ、上記第２電極１３０４及び上記第１隔壁１３０６が同時に形成された領域を表示領域１３２に定義することができる。また、上記荷電粒子１３０３ａ及び流体１３０３ｄが形成されず、第２隔壁１３０７のみ形成された領域を非表示領域１３１に定義することができる。よって、上記表示領域１３２を介して所定映像（様々な文字、数字、特殊記号、静止画または動画）が表示されるが、上記非表示領域１３１を介していずれの映像も出力されない。
【００３５】
上記第１基板１３０１は、ガラス、プラスチック樹脂、ナノ複合体、金属及びその等価物の中から選択されたいずれか１つであることができるが、ここでその種類が限定されるものではない。
【００３６】
上記第１電極１３０２は、上記第１基板１３０１上に酸化シリコーン層、窒化シリコーン層または酸化窒化シリコーン層が形成された後にその上に形成されるか、上記第１基板１３０１上に直接に形成される。このような第１電極１３０２は、ＩＴＯ（Ｉｎｄｉｕｍ  Ｔｉｎ  Ｏｘｉｄｅ）、ＩＴＯ／Ａｇ、ＩＴＯ／Ａｇ／ＩＴＯ、ＩＴＯ／Ａｇ／ＩＺＯ（Ｉｎｄｉｕｍ  Ｚｉｎｃ  Ｏｘｉｄｅ）及びその等価物の中から選択された少なくともいずれか１つに形成できるが、本発明で上記第１電極１３０２の材質が限定されるものではない。尚、上記第１電極１３０２は、流体から保護されるように絶縁層にコーティングされることもできるが、このような構造で本発明が限定されるものではない。
【００３７】
上記荷電粒子１３０３ａが分散された流体１３０３ｄは、上記第１電極１３０２の上部に形成される。上記荷電粒子１３０３ａは、赤色、青色、緑色、黒色及び白色の中から選択されたいずれか１つの色に形成される。より詳しくは、上記荷電粒子１３０３ａは、コア１３０３ｂと、上記コア１３０３ｂの表面に形成された着色層１３０３ｃからなる。例えば、上記コア１３０３ｂは、黒色の二酸化チタン、シリカ及びその等価物の中から選択された少なくともいずれか１つであることができるが、ここでその材質が限定されるものではない。尚、上記着色層１３０３ｃは、赤色、青色、緑色、黒色及び白色の中から選択されたいずれか１つであることができる。また、上記流体１３０３ｄは、有機溶媒及びその等価物の中から選択されたいずれか１つであることができるが、ここでその材質が限定されるものではない。このような荷電粒子１３０３ａは、陽性または陰性にあらかじめ荷電されているため、上記第１電極１３０２と第２電極（１３０４）との間に形成される電界の方向によって所定方向に運動する。使用者は、上記荷電粒子１３０３ａが近く上部に移動すれば、その荷電粒子１３０３ａの色を強く認識し、荷電粒子１３０３ａが遠く下部に移動すれば、使用者は荷電粒子１３０３ａの色を弱く認識するようになる。このような荷電粒子１３０３ａの運動は、電気泳動によることで、電気泳動というのは表面に電荷を帯びた粒子が電気場の中で反対の電荷を帯びた電極方に移動する現象である。このような電気泳動は、電磁気的現象ではなく、コロイド科学と流体力学の観点で解釈しなければならない現象と知られている。
【００３８】
上記第２電極１３０４は、上記第１電極１３０２に交差する方向である同時に、上記荷電粒子１３０３ａが分散された流体１３０３ｄの上面に形成される。このような第２電極１３０４は、ＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つに形成できるが、本発明で上記第２電極１３０４の材質が限定されるものではない。尚、上記第２電極１３０４は、流体から保護されるように絶縁層にコーティングされることもできるが、このような構造で本発明が限定されるものではない。
【００３９】
上記第１隔壁１３０６は、上記第１電極１３０２と第１電極１３０２との間（上記流体１３０３ｄと流体１３０３ｄとの間）に形成され、上記第１電極１３０２を物理的に分離させる役割を有する。このような第１隔壁１３０６は、厚さが上記第１電極１３０２の厚さより厚く形成されることで、上記第１電極１３０２と第１電極１３０２が確実に物理的に分離できるようにする。尚、このような第１隔壁１３０６は、上辺と下辺が同一な四角形態に形成できるが、このような形態で隔壁の形状が限定されるものではない。すなわち、上記第１隔壁１３０６は、下辺が上辺より大きいか、または上面が下辺より小さいこともできる。尚、このような第１隔壁１３０６は、ポリイミド、フォトレジストによって形成できるが、このような材質及び製造方法で本発明が限定されるものではない。
【００４０】
上記第２隔壁１３０７は、表示領域１３２の外周縁に形成される。すなわち、上記第２隔壁１３０７は、上記流体１３０３ｄの外周縁にそれぞれ形成される。このような第２隔壁１３０７は、上記第１隔壁１３０６の幅より大幅に形成される。実質的にこのような第２隔壁１３０７によって非表示領域１３１が定義される。すなわち、上記流体１３０３ｄ及び第１隔壁１３０６が位置された領域が表示領域１３２に定義され、上記第２隔壁１３０７が位置された領域が非表示領域１３１に定義される。一方、上記第１隔壁１３０６及び第２隔壁１３０７の上面には、画素間の境界が確実になるようにブラックマトリクス１３０８がさらに形成できるが、このようなブラックマトリクス１３０８で本発明が限定されるものではない。
【００４１】
一方、上記表示領域１３２及び非表示領域１３１をなす第１隔壁１３０６及び第２隔壁１３０７上には、透明な第２基板１３０９がさらに形成される。このような第２基板１３０９は、実質的に上記第１隔壁１３０６及び第２隔壁１３０７に接触するかまたは接触しないこともある。勿論、このような第２基板１３０８は、外部の湿気及びほこりなどが上記流体１３０３ｄに到達されないようにする。
【００４２】
尚、上記第１基板１３０１の下部には、バックライト１３１０がさらに位置される。周知ように、電気泳動表示装置は外光がある状態でのみ画像を見ることができる。すなわち、電気泳動表示装置は、自発光素子ではないことから外光がないと画像を見ることができない。しかし、本発明は、外光のない状態になれば、バックライト１３１０を駆動させることで、外光のない状態でも常に画像を見ることができるようにする。
【００４３】
上記第２基板１３０８の上部に開口１４２及びキー１４３を有する回路基板１４０が位置される。実質的に上記回路基板１４０の開口１４２は、上記電気泳動表示パネル１３００に形成された表示領域１３２の大きさとほぼ同一である。また、上記回路基板１４０の上部に透明窓部１５２及び加圧部１５３を有するパッド１５０が位置される。実質的に、上記パッド１５０の透明窓部１５２は上記回路基板１４０の開口１４２の大きさとほぼ同一である。尚、上記パッド１５０の上部に窓部１６２を有するカバー１６０が位置される。実質的に、上記カバー１６０の窓部１６２は上記パッド１５０の透明窓部１５２と加圧部１５３を結合した大きさとほぼ同一である。つまり、上記パッド１５０に形成された加圧部１５３は、上記カバー１６０の窓部１６２を介して外部に露出される。尚、上記開口１４２、上記透明窓部１５２及び上記窓部１６２のうち少なくともいずれか１つは表示領域１３２を外部環境から積極的に保護するために透明樹脂、透明ガラス及びその等価物の中から選択されたいずれか１つで閉塞される。勿論、閉塞されないこともある。
【００４４】
上述したように、本発明では電気泳動表示パネル１３００が非表示領域１３１と表示領域１３２に区分され、上記回路基板１４０に形成されたキー１４３は上記電気泳動表示パネル１３００のうち非表示領域１３１に対応する領域に位置される。実質的に、上記回路基板１４０のキー１４３は上記第２隔壁１３０７に対応する領域に形成される。このような第２隔壁１３０７は、上述したように表示領域１３２に形成された第１隔壁１３０６の幅より広く形成されている。よって、使用者がパッド１５０の加圧部１５３を押して上記キー１４３が圧力を加えられても、上記第２基板１３０８及びその下部の第２隔壁１３０７がその圧力を充分に吸収、緩衝及び支持するようになる。よって、使用者のキー操作にもかかわらず上記表示領域１３２の損傷や表示品質低下現象は発生しない。
【００４５】
図面中に未説明符号１３４は、電気泳動表示パネル１３００の一側である最下面に位置するバックライト１３１０のさらに下に位置するベゼルであり、未説明符号１２０はベゼル１３４の下に位置するメイン回路基板であり、未説明符号１１０はメイン回路基板１２０の下に位置するケースである。このような構成要素については上述したので、これ以上の説明は省略する。
【００４６】
図５には、本発明による多機能キーパッド用表示装置のうち電気泳動表示パネルに形成された非表示領域及び表示領域が平面図として示されている。
【００４７】
図５に示すように、本発明では電気泳動表示パネル１３０がいずれも表示しない非表示領域１３１と、文字、数字、特殊文字、静止画または動画を表示する表示領域１３２からなることができる。勿論、上記表示領域１３２は、行と列を有してマトリクス状に形成される。実質的に、上記表示領域１３２には複数の画素１３２ａが形成され、上記非表示領域１３１には画素が形成されない。
【００４８】
このような構造によって本発明は、電気泳動表示パネル１３０のサイズが比較的に大きくなっても電極抵抗と流体のキャパシタンスがそれほどに大きく増加しなくなる。
【００４９】
一例として、上記電気泳動表示パネル１３０の全体広さが２０ｃｍ２（例えば、４ｃｍ×５ｃｍ）であり、このうち１つの表示領域１３２の広さが１ｃｍ２であり、その個数が１２個であれば全体表示領域１３２の広さは１２ｃｍ２になる。したがって、２０ｃｍ２の広さを有する全体電気泳動表示パネル１３０で電力が消費されるものではなく、実質的に１２ｃｍ２の表示領域１３２で電力が消費されるものである。すなわち、消費電力面では、ほぼ２０ｃｍ２の電気泳動表示パネル１３０ではなくほぼ１２ｃｍ２の電気泳動表示パネル１３０である。
【００５０】
一方、図５で楕円形に表示した部分は、回路基板１４０のうちキー１４３に対応する領域を示したものである。すなわち、使用者による圧力が加えられる回路基板１４０のキー１４３は、電気泳動表示パネル１３０のうち表示領域１３２ではない非表示領域１３１に対応する領域である。つまり、上記電気泳動表示パネル１３０のうち上記回路基板１４０のキー１４３に対応する領域は画素が形成されない領域である。
【００５１】
図６には、本発明による多機能キーパッド用表示装置のうちキー及びその周辺構造が拡大断面図として示されている。
【００５２】
図６に示すように、電気泳動表示パネル１３０のうち非表示領域１３１に対応する領域に位置されたキー１４３は、例えば、ドームスイッチ及びその等価物の中から選択されたいずれか１つであることができる。ドームスイッチは、例えば金属や樹脂材などによりなる弾性部材をドーム形状に形成し、そのドームの跳ね返りを利用してクリック感を出したスイッチである。勿論本発明においてここでキー１４３の種類はドームスイッチに限定されるものではない。すなわち、図６に示されたキー１４３は、本発明の理解のための一例であり、このようなキー１４３で本発明が限定されるものではない。
【００５３】
上記キー１４３は、回路基板１４０に形成された少なくとも１つの導電パターン１４３ａと、上記導電パターン１４３ａに接触及び分離可能な弾性部材１４３ｂからなることができる。勿論、上記弾性部材１４３ｂは、導電体であるかまたは内側表面に導電層が形成された形態であることができる。また、図６には、上記回路基板１４０のうち上記キー１４３が形成された領域に凹溝１４５が形成されたものとして示されているが、このような凹溝１４５で本発明が限定されるものではない。すなわち、上記凹溝１４５は、必要によって形成されないこともある。
【００５４】
一方、上記回路基板１４０の上部に位置されるパッド１５０は、多層構造であることができる。同じく、図面に示されたパッド１５０は、本発明の理解のための一例であり、このような図面で本発明が限定されるものではない。上記パッド１５０は、最下端に形成されて上記回路基板１４０またはキー１４３と接触する絶縁層１５５と、上記絶縁層１５５の上部に形成された薄い金属層１５６と、上記金属層１５６の上部として上記キー１４３に対応する領域に形成された加圧部１５３からなることができる。上記絶縁層１５５は、パッド１５０が上記回路基板１４０及びキー１４３の上部に安定的に密着されるようにし、上記金属層１５６は上記パッド１５０の剛性を確保し、上記加圧部１５３は使用者による加圧力を上記キー１４３に伝達する役割を有する。上記加圧部１５３は、通常の樹脂、金属及びその等価物の中から選択されたいずれか１つに形成できるが、ここでその材質が限定されるものではない。尚、上記加圧部１５３は、上部に所定厚さに突出されていることで、使用者によって容易に加圧されることができるようになっている。尚、上記パッド１５０の上部には、カバー１６０が搭載され、上記カバー１６０に形成された窓部１６２を介して上記パッド１５０の加圧部１５３が上部に露出される。ここで、上記加圧部１５３は、上記パッド１５０外側に突出されるかまたは突出されないように厚さが制御される。
【００５５】
図７には、本発明による多機能キーパッド用表示装置のうち電気泳動表示パネルの電気的構成が概略ブロック図として示されている。
【００５６】
図７に示すように、電気泳動表示パネル１３０は、非表示領域１３１と複数の表示領域１３２からなり、上記表示領域１３２には複数の画素１３２ａが形成される。尚、上記表示領域１３２には、第１電極１３０２及び第２電極１３０４が形成される。また、上記第１電極１３０２には、例えば、上記表示領域１３２にデータ信号を印加するデータドライバー１３０９が電気的に連結され、上記第２電極１３０４には例えば上記表示領域１３２に走査信号を印加する走査ドライバー１３１０が電気的に連結される。勿論、上記データドライバー１３０９は、ソースドライバー（ｓｏｕｒｃｅ  ｄｒｉｖｅｒ）またはカラムドライバー（ｃｏｌｕｍ  ｄｒｉｖｅｒ）といい、上記走査ドライバー１３１０はゲートドライバー（ｇａｔｅ  ｄｒｉｖｅｒ）またはロードライバー（ｒｏｗ  ｄｒｉｖｅｒ）ということもできる。
【００５７】
上記のように、本発明は電気泳動表示パネル１３０の全体に画素を形成しない。すなわち、選択された表示領域１３２のみ画素を形成するようになる。よって、電気泳動表示パネル１３０の全体に表示領域１３２または画素を形成する場合より電力消耗量が少なく、また生産収率が向上される。勿論、これによって製造費用も減少する。
【００５８】
図面中に楕円形点線は、回路基板１４０に形成されたキー１４３に対応する領域である。示されたように、キー１４３は電気泳動表示パネル１３０のうち非表示領域１３１に対応することで、キー１４３の操作時に表示領域１３２の損傷または表示品質の低下現象を防止することができるようになる。
【００５９】
図８には、本発明の他の実施形態による多機能キーパッド用表示装置が概略断面図として示されている。
【００６０】
ここで、上記図８に示された多機能キーパッド用表示装置２００は、実際の大きさ、厚さ及び長さに比例せず、本発明の理解のために誇張または単純化して示されている。一例として、図８には、３つの流体２３０３ｄが示されているが、実際ではこれより非常に多い個数または少ない個数に形成される。また、図８に示された回路基板１４０のキー１４３の長さは、流体２３０３ｄの長さと類似に示されているが、実際ではこれより非常に大きいかまたは小さいことがある。
【００６１】
先ず、図８に示すように、電気泳動表示パネル２３００は第１基板２３０１と、上記第１基板２３０１の上部に形成された第１電極２３０２と、上記第１電極２３０２の上部に形成された絶縁層２３０２ａと、上記絶縁層２３０２ａの上部に形成された複数の第２電極２３０４と上記第２電極２３０４との間に形成されたカラーフィルター２３０５と、上記カラーフィルター２３０５上に位置された荷電粒子２３０３ａが分散された流体２３０３ｄ、上記カラーフィルター２３０５の間に形成された第１隔壁２３０６と、上記第１隔壁２３０６の外郭に形成された第２隔壁２３０７とを含む。
【００６２】
ここで、上記第１電極２３０２、流体２３０３ｄ、第２電極２３０４及び第１隔壁２３０６が形成された領域を表示領域１３２に定義することができ、上記流体２３０３ｄがなくて第２隔壁２３０７のみ形成された領域を非表示領域１３１に定義することができる。
【００６３】
上記第１基板２３０１は、ガラス、プラスチック樹脂、ナノ複合体、金属及びその等価物の中から選択されたいずれか１つであることができるが、ここでその材質が限定されるものではない。
【００６４】
上記第１電極２３０２は、上記第１基板２３０１上に形成される。このような第１電極２３０２は、ＩＴＯ（Ｉｎｄｉｕｍ  Ｔｉｎ  Ｏｘｉｄｅ）、ＩＴＯ／Ａｇ、ＩＴＯ／Ａｇ／ＩＴＯ、ＩＴＯ／Ａｇ／ＩＺＯ（Ｉｎｄｉｕｍ  Ｚｉｎｃ  Ｏｘｉｄｅ）及びその等価物の中から選択された少なくともいずれか１つに形成できるが、本発明で上記第１電極２３０２の材質が限定されるものではない。尚、上記第１電極２３０２は、流体から保護される同時に下記する第２電極と電気的に分離されるように絶縁層２３０２ａにコーティングされることもできるが、このような構造で本発明が限定されるものではない。
【００６５】
上記第２電極２３０４は、上記第１電極２３０２に交差する方向である同時に、上記絶縁層２３０２ａ上に形成されている。このような第２電極２３０４は、ＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つに形成できるが、本発明で上記第２電極２３０４の材質が限定されるものではない。尚、上記第２電極２３０４は、流体から保護されるように絶縁層にコーティングされることもできるが、このような構造で本発明が限定されるものではない。
【００６６】
上記カラーフィルター２３０５は、上記第２電極２３０４と第２電極２３０４との間に形成される。すなわち、上記カラーフィルター２３０５は、上記第１電極２３０２に対応する絶縁層２３０２ａ上に形成される。このようなカラーフィルター２３０５は、赤色、緑色、青色の中から選択されたいずれか１つの色を有することができる。
【００６７】
上記荷電粒子２３０３ａが分散された流体２３０３ｄは、上記第２電極２３０４、上記カラーフィルター２３０５及び第１隔壁２３０６によって定義される領域に位置する。ここで、上記荷電粒子２３０３ａは、黒色または白色の中から選択されたいずれか１つであることができる。
【００６８】
このような構成によって、本発明は荷電粒子２３０３ａが陰極性を帯び、上記第１電極２３０２に陽極性の電圧が印加され、第２電極２３０４に陰極性の電圧が印加されると仮定したら、上記カラーフィルター２３０５は荷電粒子２３０３ａによって遮られる。よって、使用者は、上記荷電粒子２３０３ａによってカラーフィルター２３０５の色を見ることができない。もし、上記荷電粒子２３０３ａが黒色であれば、黒色のみ見ることができる。
【００６９】
しかし、上記第１電極２３０２に陰極性の電圧が印加され、上記第２電極２３０２に陽極性の電圧が印加されば、上記荷電粒子２３０３ａは主に上記第２電極２３０４上に集まるようになる。すなわち、上記荷電粒子２３０３ａがカラーフィルター２３０５を遮られない。よって、使用者はカラーフィルター２３０５の色を確実に見るようになる。
【００７０】
上記第１隔壁２３０６は、上記第２電極２３０４と第２電極２３０４との間（上記流体２３０３ｄと流体２３０３ｄとの間）に形成され、上記第２電極２３０４を物理的に分離させる役割を有する。このような第１隔壁２３０６は、厚さが上記第２電極２３０４の厚さより厚く形成されることで、上記第２電極２３０４と第２電極２３０４が確実に物理的に分離される。尚、このような第２電極２３０４は、上辺と下辺が同一な四角形態に形成できるが、このような形態で隔壁の形状が限定されるものではない。すなわち、上記第１隔壁２３０６は、下辺が上辺より大きいか、または上面が下辺より小さいこともできる。尚、このような第１隔壁２３０６は、ポリイミド、フォトレジストによって形成できるが、このような材質及び製造方法で本発明が限定されるものではない。
【００７１】
上記第２隔壁２３０７は、表示領域１３２の外周縁に形成される。すなわち、上記第２隔壁２３０７は、上記流体２３０３ｄの外周縁にそれぞれ形成される。このような第２隔壁２３０７は、上記第１隔壁２３０６の幅より大幅に形成される。実質的に、このような第２隔壁２３０７によって非表示領域１３１が定義される。すなわち、上記流体２３０３ｄ及び第１隔壁２３０６が位置された領域が表示領域１３２に定義され、上記第２隔壁２３０７が位置された領域が非表示領域１３１に定義される。一方、上記第１隔壁２３０６及び第２隔壁２３０７の上面には、画素間の境界が確実になるようにブラックマトリクス２３０８がさらに形成できるが、このようなブラックマトリクス２３０８で本発明が限定されるものではない。
【００７２】
一方、上記表示領域１３２及び非表示領域１３１をなす第１隔壁２３０６及び第２隔壁２３０７上には、透明な第２基板２３０９がさらに形成される。このような第２基板２３０９は、実質的に上記第１隔壁２３０６及び第２隔壁２３０７に接触するかまたは接触しないこともできる。勿論、このような第２基板２３０８は、外部の湿気及びほこりなどが上記流体２３０３ｄに到達されないようにする。
【００７３】
尚、上記第１基板２３０１の下部には、バックライト２３１０がさらに位置される。周知のように、電気泳動表示装置は、外光がある状態でのみ画像を見ることができる。すなわち、電気泳動表示装置は、自発光素子ではないことから外光がないと画像を見ることができない。しかし、本発明は外光のない状態になれば、バックライト２３１０を駆動させることで、外光のない状態でも常に画像を見ることができる。
【００７４】
ここで、上記第２基板２３０９の上部に開口１４２及びキー１４３を有する回路基板１４０が位置され、上記回路基板１４０の上部に透明窓部１５２及び加圧部１５３を有するパッド１５０が位置され、上記パッド１５０の上部にカバー１６０が位置される。このような構造は、上述した構造と同一であるため、より詳しい説明は省略する。
【００７５】
また、上述したように、本発明では電気泳動表示パネル２３００が非表示領域１３１と表示領域１３２に区分され、上記回路基板１４０に形成されたキー１４３は上記電気泳動表示パネル２３００のうち非表示領域１３１に対応する位置に位置される。実質的に上記回路基板１４０のキー１４３は、上記第２隔壁２３０７に対応する領域に形成される。このような第２隔壁２３０７は、上述したように表示領域１３２に形成された第１隔壁２３０６の幅より広く形成されている。よって、使用者がパッド１５０の加圧部１５３を押して上記キー１４３に圧力が加えられても、上記第２基板２３０９及びその下部の第２隔壁２３０７がその圧力を吸収、緩衝及び支持するようになる。よって、使用者が上記キー１４３を過度に加圧しても、上記表示領域１３２が損傷されたり表示品質が低下されたりしない。
【００７６】
図面中に未説明符号１３４は、電気泳動表示パネル２３００をなす第１基板２３０１の下に位置するベゼルであり、未説明符号１２０はベゼル１３４の下に位置するメイン回路基板であり、未説明符号１１０はメイン回路基板１２０の下に位置するケースである。
【００７７】
図９には、本発明の他の実施形態による多機能キーパッド用表示装置の概略断面図が示されている。
【００７８】
ここで、上記図９に示された多機能キーパッド用表示装置３００は、実際の大きさ、厚さ及び距離に比例せず、本発明の理解のために誇張または単純化されている。一例として、図９には、３つのトランジスタ３３０２、３つの第１電極３３０４ａ、３つの流体３３０３ｄなどが示されているが、実際ではこれより非常に多い個数または少ない個数に形成される。また、図９に示された回路基板１４０のキー１４３の幅は、１つの流体３３０３ｄの幅と類似に示されているが、実際ではこれより非常に大きいかまたは小さいことがある。
【００７９】
先ず、図９に示すように、電気泳動表示パネル３３００は第１基板３３０１と、上記第１基板３３０１に形成されたトランジスタ３３０２と、上記トランジスタ３３０２上に形成された絶縁層３３０２ｇと、上記トランジスタ３３０２に電気的に連結された第１電極３３０４ａと、上記第１電極３３０４ａ上に形成された荷電粒子３３０３ａが分散された流体３３０３ｄと、上記流体３３０３ｄ上に形成された第２電極３３０４ｂと、各画素を定義する第１隔壁３３０５と、上記第１隔壁３３０５の外郭に形成された第２隔壁３３０６とを含む。ここで、上記３つのトランジスタ３３０２、３つの第１電極３３０４ａ、３つの流体３３０３ｄ及び２つの第１隔壁３３０５が形成された領域を表示領域１３２に定義することができ、上記第２隔壁３３０６が形成された領域を非表示領域１３１に定義することができる。
【００８０】
上記第１基板３３０１は、ガラス、プラスチック樹脂、ナノ複合体、金属及びその等価物の中から選択されたいずれか１つであることができるが、ここでその材質が限定されるものではない。
【００８１】
上記トランジスタ３３０２は、上記第１基板３３０１上に酸化シリコーン層、窒化シリコーン層または酸化窒化シリコーン層が形成された後にその上に形成されるか、または上記第１基板３３０１上に直接に形成される。このようなトランジスタ３３０２は、実質的に薄膜トランジスタであることができ、ソース／ドレイン領域３３０２ａ及びチャネル領域３３０２ｂを有することができる。勿論、上記トランジスタ３３０２の表面には、ゲート絶縁膜３３０２ｃが形成され、上記チャネル領域３３０２ｂに対応する領域にゲート電極３３０２ｄが形成される。また、上記ゲート電極３３０２ｄを覆って導電層３３０２ｅが形成され、上記導電層３３０２ｅの上部に上記ソース／ドレイン領域３３０２ａと電気的に連結されるソース／ドレイン電極３３０２ｆが形成される。ここで、上記トランジスタ３３０２は、既存のすべての薄膜トランジスタの構造、例えば、逆転同一平面構造（ｉｎｖｅｒｔｅｄ  ｃｏｐｌａｎａｒ  ｓｔｒｕｃｔｕｒｅ）、ジグザグ型構造（ｓｔａｇｇｅｒｅｄ  ｓｔｒｕｃｔｕｒｅ）、逆転ジグザグ型構造（ｉｎｖｅｒｔｅｄ  ｓｔａｇｇｅｒｅｄ  ｓｔｒｕｃｔｕｒｅ）及びその等価構造の中から選択された少なくともいずれか一つが可能であり、本発明で上記トランジスタ３３０２の構造が限定されるものではない。
【００８２】
上記絶縁層３３０２ｇは、上記トランジスタ３３０２の表面に形成される。このような絶縁層３３０２ｇは、外部から上記トランジスタ３３０２に水気が浸透されないようにする同時に、表面を平坦化する役割を有する。このような絶縁層３３０２ｇは、有機層、無機層及びその等価物の中から選択されたいずれか１つまたは混合物であることができるが、ここでその材質が限定されるものではない。
【００８３】
上記第１電極３３０４ａは、上記絶縁層３３０２ｇに形成され、これは上記トランジスタ３３０２のうちソース／ドレイン電極３３０２ｆと電気的に連結される。このような第１電極３３０４ａは、ＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つに形成できるが、本発明で上記第１電極３３０４の材質が限定されるものではない。このような第１電極３３０４について上述したので、これ以上の説明は省略する。
【００８４】
上記荷電粒子３３０３ａが分布された流体３３０３ｄは、上記第１電極３３０４ａの上部に形成される。上記荷電粒子３３０３ａは、赤色、青色、緑色、黒色及び白色のうち少なくともいずれか１つの色を有して形成される。また、上記荷電粒子３３０３ａは、コアと、上記コアの表面に形成された着色層からなることができる。上記コアは、二酸化チタン及びシリカのうち少なくともいずれか１つであることができる。尚、上記流体３３０３ｄは、有機溶媒であることができる。このような荷電粒子３３０３ａが分布された流体３３０３ｄも上述したので、これ以上の説明は省略する。
【００８５】
上記第２電極３３０４ｂは、上記荷電粒子３３０３ａが分布された流体３３０３ｄの上部に形成される。このような第２電極３３０４ｄは、ＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つに形成できるが、本発明で上記第２電極３３０４ｂの材質が限定されるものではない。このような第２電極３３０４ｂも上述したので、これ以上の説明は省略する。
【００８６】
上記第１隔壁３３０５は、上記流体３３０３ｄと流体３３０３ｄとの間に形成され、上記荷電粒子３３０３ａ及び流体３３０３ｄが物理的にアイソレーションされるようにする役割を有する。上記第１隔壁３３０５は、上辺が下辺より短い台形状に形成できるが、このような形態で本発明が限定されるものではない。尚、このような第１隔壁３３０５は、ポリイミドの露光及び現象工程によって形成できるが、ここでその材質及び製造方法が限定されるものではない。
【００８７】
上記第２隔壁３３０６は、表示領域１３２をなす流体３３０３ｄの外周縁に形成される。このような第２隔壁３３０６は、上記第１隔壁２３０５の幅よりは大幅に形成される。実質的に、このような第２隔壁２３０６によって非表示領域１３１が定義される。すなわち、上記第１電極３３０４ａ、流体３３０３ｄ及び第１隔壁３３０５などが表示領域１３２に定義され、上記第２隔壁３３０６が非表示領域１３１に定義される。一方、上記第１隔壁３３０５及び第２隔壁３３０６の上面には、ブラックマトリクス３３０８が形成できるが、このような構造で本発明が限定されるものではない。
【００８８】
一方、上記非表示領域１３１及び表示領域１３２をなす第１隔壁３３０５及び第２隔壁３３０６の上部には、透明な第２基板３３０９が形成される。このような第２基板３３０９は、実質的に上記第１隔壁３３０５及び第２隔壁３３０６に接触するかまたは接触しないことができる。勿論、このような第２基板３３０９は、外部の湿気及びほこりなどが上記流体３３０３ｄに到達されないようにする役割を有する。
【００８９】
ここで、上記第２基板３３０９の上部に開口１４２及びキー１４３を有する回路基板１４０が位置され、上記回路基板１４０の上部に透明窓部１５２及び加圧部１５３を有するパッド１５０が位置され、上記パッド１５０の上部にカバー１６０が位置される。このような構造は、上述した構造と同一であるため、より詳しい説明は省略する。
【００９０】
また、上述したように、本発明では電気泳動表示パネル３３００が非表示領域１３１と表示領域１３２に区分され、上記回路基板１４０に形成されたキー１４３は上記電気泳動表示パネル３３００のうち非表示領域１３１に対応する位置に位置される。実質的に上記回路基板１４０のキー１４３は上記第２隔壁３３０６に対応する領域に形成される。このような第２隔壁３３０６は、上述したように表示領域１３２に形成された第１隔壁３３０５の幅より広く形成されている。よって、使用者がパッド１５０の加圧部１５３を押して上記キー１４３に圧力が加えられても、上記第２基板３３０９及びその下部の第２隔壁３３０６がその圧力を吸収、緩衝及び支持するようになる。よって、使用者が上記キー１４３を過度に加圧しても、上記表示領域１３２が損傷されたり表示品質が低下されたりしない。
【００９１】
尚、上記第１基板３３０１の下部には、バックライト３３１０がさらに位置される。周知のように、電気泳動表示装置は外光がある状態でのみ画像を見ることができる。すなわち、電気泳動表示装置は、自発光素子ではないことから外光がないと画像を見ることができない。しかし、本発明は、外光のない状態になれば、バックライト１３１０を駆動させることで、外光のない状態でも常に画像を見ることができる。
【００９２】
図１０ａ及び図１０ｂには、本発明による多機能キーパッド用表示装置を有する電子機器４０１、４０２の例が斜視図としてそれぞれ示されている。
【００９３】
図１０ａ及び図１０ｂに示すように、本発明による多機能キーパッド用表示装置１００（勿論、多機能キーパッド用表示装置２００、３００も可能）は、メイン表示パネル４０３を有する電子機器４０１、４０２に適用される。
【００９４】
より詳しくは、図１０ａに示すように、電子機器４０１は折り畳み型携帯電話機であることができる。このような電子機器４０１は、メイン表示パネル４０３以外にも多機能キーパッド用表示装置に電気泳動表示パネル１３０が備えられていることで、全部で２つの表示パネルを有する。また、図１０ｂに示すように、電子機器４０２はスライド型携帯電話機であることができる。このような電子機器４０２もメイン表示パネル４０３以外にも多機能キーパッド用表示装置に電気泳動表示パネル１３０がさらに備えられている。したがって、全部で２つの表示パネルを有する。勿論、ここで上記メイン表示パネルは通常の液晶表示パネル、受動有機電界発光表示パネル及び能動有機電界発光表示パネルの中から選択されたいずれか１つであることができるが、ここで上記メイン表示パネルの種類が限定されるものではない。
【００９５】
その他にも本発明による多機能キーパッド用表示装置１００は、ＭＰ３プレーヤー、カーオディオ、オートコンソール、ＰＤＡ、その他の産業用ディスプレーなどの様々な分野に適用でき、本発明で上記多機能キーパッド用表示装置１００が適用される電子機器４０１、４０２の種類が限定されるものではない。
【００９６】
以上、本発明は、上述した特定の好適な実施例に限定されるものではなく、特許請求範囲から請求する本発明の基本概念に基づき、当該技術分野における通常の知識を有する者であれば、様々な実施変形が可能であり、そのような変形は本発明の特許請求範囲に属するものである。
【図面の簡単な説明】
【００９７】
【図１ａ】本発明の一実施形態による多機能キーパッド用表示装置を示した斜視図である。
【図１ｂ】本発明の一実施形態による多機能キーパッド用表示装置を示した分解斜視図である。
【図２】本発明による多機能キーパッド用表示装置のうちメイン回路基板上に電気泳動表示パネルが搭載された状態を示した平面図である。
【図３】本発明による多機能キーパッド用表示装置のうちメイン回路基板に電気泳動表示パネル及び回路基板が順次に搭載された状態を示した平面図である。
【図４ａ】図１の４ａ−４ａ線の概略断面図である。
【図４ｂ】荷電粒子を拡大示した断面図である。
【図５】本発明による多機能キーパッド用表示装置のうち電気泳動表示パネルに形成された表示領域及び非表示領域を示した概略平面図である。
【図６】本発明による多機能キーパッド用表示装置のうちキー及びその周辺構造を拡大示した断面図である。
【図７】本発明による多機能キーパッド用表示装置のうち電気泳動表示パネルの電気的構成を示した概路図である。
【図８】本発明の他の実施形態による多機能キーパッド用表示装置を示した概略断面図である。
【図９】本発明の他の実施形態による多機能キーパッド用表示装置を示した概略断面図である。
【図１０ａ】本発明による多機能キーパッド用表示装置を有する電子機器の例を示した概略斜視図である。
【図１０ｂ】本発明による多機能キーパッド用表示装置を有する他の電子機器の例を示した概略斜視図である。
【符号の説明】
【００９８】
１００、２００…本発明による多機能キーパッド用表示装置、
１１０…ケース、
１１１…底面、
１１２…側壁、
１２０…メイン回路基板、
１２１…基板胴体、
１２２…能動素子、
１２３…受動素子、
１２４…第１軟性印刷回路、
１２５…コネクター、
１３０…電気泳動表示パネル、
１３１…非表示領域、
１３２…表示領域、
１３３…第２軟性印刷回路、
１３４…ベゼル、
１３０１…第１基板、
１３０２…第１電極、
１３０３…発光層、
１３０３ａ…荷電粒子、
１３０３ｄ…流体、
１３０４…第２電極、
１３０５…絶縁層、
１３０６…第１隔壁、
１３０７…第２隔壁、
１３０８…第２基板、
１３０９…データドライバー、
１３１０…走査ドライバー、
１４０…回路基板、
１４１…基板胴体、
１４２…開口、
１４３、１４４…キー、
１４３ａ…導電パターン、
１４３ｂ…弾性部材、
１４５…凹溝、
１５０…パッド、
１５１…パッド胴体、
１５２…透明窓部、
１５３、１５４…加圧部、
１５５…絶縁層、
１５６…金属層、
１６０…カバー、
１６１…カバー胴体、
１６２、１６３…窓部
４０１、４０２…多機能キーパッド用表示装置を有する電子機器、
４０３…メイン表示パネル、
【図１ａ】
2008270216.tif 000003
【図１ｂ】
2008270216.tif 000004
【図２】
2008270216.tif 000005
【図３】
2008270216.tif 000006
【図４ａ】
2008270216.tif 000007
【図４ｂ】
2008270216.tif 000008
【図５】
2008270216.tif 000009
【図６】
2008270216.tif 000010
【図７】
2008270216.tif 000011
【図８】
2008270216.tif 000012
【図９】
2008270216.tif 000013
【図１０ａ】
2008270216.tif 000014
【図１０ｂ】
2008270216.tif 000015